【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
多値の入力画像から２値画像を生成する２値化手段と、
前記２値画像から文字領域と非文字領域とを検出する検出手段と、
前記検出手段により検出された前記文字領域に含まれる文字のそれぞれを囲む領域を、文字切り矩形として切り出す切り出し手段と、
前記文字切り矩形に含まれる前記２値画像の黒画素密度に基づいて当該文字切り矩形が文字領域か否かを判定する第１判定手段と、
前記第１判定手段で非文字領域と判定された文字切り矩形に含まれる画素数と前記検出手段によって検出された前記文字領域に含まれる他の文字切り矩形に含まれる画素数とに基づいて、当該非文字領域と判定された文字切り矩形が文字領域か否かを判定する第２判定手段と、
を有することを特徴とする画像処理装置。
【請求項２】
前記第２判定手段は、前記第１判定手段で文字領域と判定された文字切り矩形に含まれる画素の平均画素数を算出する第１算出手段を有し、
前記平均画素数と、前記第１判定手段で非文字領域と判定された文字切り矩形に含まれる画素数との差の絶対値が所定値よりも小さい場合に、前記非文字領域と判定された文字切り矩形が文字領域であると判定することを特徴とする請求項１に記載の画像処理装置。
【請求項３】
前記所定値は、前記平均画素数の５０％〜１５０％の値であることを特徴とする請求項２に記載の画像処理装置。
【請求項４】
多値の入力画像から２値画像を生成する２値化手段と、
前記２値画像から文字領域と非文字領域とを検出する検出手段と、
前記検出手段により検出された前記文字領域に含まれる文字のそれぞれを囲む領域を、文字切り矩形として切り出す切り出し手段と、
前記文字切り矩形に含まれる前記２値画像の黒画素密度に基づいて当該文字切り矩形が文字領域か否かを判定する第１判定手段と、
前記第１判定手段で非文字領域と判定された文字切り矩形の中心と、前記第１判定手段で文字領域と判定された文字切り矩形のうちの最も近い文字切り矩形の中心とに基づいて、当該非文字領域と判定された文字切り矩形が文字領域か否かを判定する第２判定手段と、
を有することを特徴とする画像処理装置。
【請求項５】
前記第２判定手段は、前記第１判定手段で非文字領域と判定された文字切り矩形の中心を算出する第２算出手段を有し、
前記第２算出手段により算出した前記中心と、前記第１判定手段で文字領域と判定された文字切り矩形の中心との距離が所定値よりも小さい場合に、前記非文字領域と判定された文字切り矩形が文字領域であると判定することを特徴とする請求項４に記載の画像処理装置。
【請求項６】
前記第１判定手段は、前記文字切り矩形に含まれる前記２値画像の黒画素密度が所定の閾値よりも大きい場合に、当該文字切り矩形が非文字領域であると判定することを特徴とする請求項１乃至５のいずれか１項に記載の画像処理装置。
【請求項７】
前記検出手段は、前記２値画像に含まれる黒画素塊の大きさや形状、黒画素密度のうち少なくとも１つを用いて文字領域と非文字領域とを検出することを特徴とする請求項１乃至６のいずれか１項に記載の画像処理装置。
【請求項８】
前記検出手段は、前記２値画像に含まれる黒画素塊の縦横比が１に近く、かつ当該黒画素塊の大きさが所定の範囲であれば、当該黒画素塊を文字領域として検出することを特徴とする請求項７に記載の画像処理装置。
【請求項９】
前記第１判定手段、及び前記第２判定手段により前記文字領域と判定された文字切り矩形の２値画像を圧縮する第１圧縮手段と、前記第１判定手段、及び第２判定手段により前記非文字領域と判定された文字切り矩形の２値画像を、前記第１圧縮手段と異なる圧縮方法で圧縮する第２圧縮手段と、を更に有することを特徴とする請求項１乃至８のいずれか１項に記載の画像処理装置。
【請求項１０】
多値の入力画像から２値画像を生成する２値化手段と、
前記２値画像から文字領域と非文字領域とを検出する検出手段と、
前記検出手段により検出された前記文字領域に含まれる文字のそれぞれを囲む領域を、文字切り矩形として切り出す切り出し手段と、
前記文字切り矩形に含まれる前記２値画像の黒画素密度に基づいて当該文字切り矩形が文字領域であるか非文字領域であるかを判定する第１判定手段と、
前記第１判定手段で非文字領域と判定された文字切り矩形に含まれる画素数と前記第１判定手段で前記非文字領域と判定された前記文字切り矩形の近傍にある他の文字切り矩形に含まれる画素数とに基づいて、当該非文字領域と判定された文字切り矩形が文字領域であるか非文字領域であるかを判定する第２判定手段と、
を有することを特徴とする画像処理装置。
【請求項１１】
多値の入力画像から２値画像を生成する２値化工程と、
前記２値画像から文字領域と非文字領域とを検出する検出工程と、
前記検出工程で検出された前記文字領域に含まれる文字のそれぞれを囲む領域を、文字切り矩形として切り出す切り出し工程と、
前記文字切り矩形に含まれる前記２値画像の黒画素密度に基づいて当該文字切り矩形が文字領域か否かを判定する第１判定工程と、
前記第１判定工程で非文字領域と判定された文字切り矩形に含まれる画素数と前記検出工程で検出された前記文字領域に含まれる他の文字切り矩形に含まれる画素数とに基づいて、当該非文字領域と判定された文字切り矩形が文字領域か否かを判定する第２判定工程と、
を有することを特徴とする画像処理方法。
【請求項１２】
多値の入力画像から２値画像を生成する２値化工程と、
前記２値画像から文字領域と非文字領域とを検出する検出工程と、
前記検出工程で検出された前記文字領域に含まれる文字のそれぞれを囲む領域を、文字切り矩形として切り出す切り出し工程と、
前記文字切り矩形に含まれる前記２値画像の黒画素密度に基づいて当該文字切り矩形が文字領域か否かを判定する第１判定工程と、
前記第１判定工程で非文字領域と判定された文字切り矩形の中心と、前記第１判定工程で文字領域と判定された文字切り矩形のうちの最も近い文字切り矩形の中心とに基づいて、当該非文字領域と判定された文字切り矩形が文字領域か否かを判定する第２判定工程と、
を有することを特徴とする画像処理方法。
【請求項１３】
多値の入力画像から２値画像を生成する２値化工程と、
前記２値画像から文字領域と非文字領域とを検出する検出工程と、
前記検出工程で検出された前記文字領域に含まれる文字のそれぞれを囲む領域を、文字切り矩形として切り出す切り出し工程と、
前記文字切り矩形に含まれる前記２値画像の黒画素密度に基づいて当該文字切り矩形が文字領域であるか非文字領域であるかを判定する第１判定工程と、
前記第１判定工程で非文字領域と判定された文字切り矩形に含まれる画素数と前記第１判定工程で前記非文字領域と判定された前記文字切り矩形の近傍にある他の文字切り矩形に含まれる画素数とに基づいて、当該非文字領域と判定された文字切り矩形が文字領域であるか非文字領域であるかを判定する第２判定手段と、
を有することを特徴とする画像処理方法。
【請求項１４】
コンピュータを、請求項１乃至１０のいずれか１項に記載の画像処理装置の各手段として機能させるためのプログラム。
【手続補正２】
【補正対象書類名】明細書
【補正対象項目名】００１１
【補正方法】変更
【補正の内容】
【００１１】
上記目的を達成するために本発明の一態様に係る画像処理装置は以下のような構成を備える。即ち、
多値の入力画像から２値画像を生成する２値化手段と、
前記２値画像から文字領域と非文字領域とを検出する検出手段と、
前記検出手段により検出された前記文字領域に含まれる文字のそれぞれを囲む領域を、文字切り矩形として切り出す切り出し手段と、
前記文字切り矩形に含まれる前記２値画像の黒画素密度に基づいて当該文字切り矩形が文字領域か否かを判定する第１判定手段と、
前記第１判定手段で非文字領域と判定された文字切り矩形に含まれる画素数と前記検出手段によって検出された前記文字領域に含まれる他の文字切り矩形に含まれる画素数とに基づいて、当該非文字領域と判定された文字切り矩形が文字領域か否かを判定する第２判定手段と、を有することを特徴とする。